(57)【要約】【課題】キャップ天井面に設けられたシール開封手段である穿孔用の錐体などについて、小径部と大径部を設けることにより、進入長によって、開口の大きさを変更可能とする。【解決手段】チューブ容器本体と、該チューブ本体の肩部に接続されていて、先端にシールされた抽出口を備えた抽出ヘッドと、前記抽出ヘッドの外周に着脱可能に螺合されるキャップと、前記キャップの天板下面に開封手段が設けられ、前記抽出口のシール部に対向する尖端を有し、尖端から大径の基端にかけて径が大きくなるように形成された開封手段を備えているチューブ容器。【選択図】図１
2014189325.tif 000002
【特許請求の範囲】
【請求項１】
チューブ容器本体と、
該チューブ本体の肩部に接続されていて、先端にシールされた抽出口を備えた抽出ヘッドと、
前記抽出ヘッドの外周に着脱可能に螺合されるキャップと、
前記キャップの天板下面に開封手段が設けられ、前記抽出口のシール部に対向する尖端を有し、尖端から大径の基端にかけて径が大きくなるように形成された開封手段を備えていることを特徴とするチューブ容器。
【請求項２】
抽出ヘッドの抽出口のシール部に対する開封手段の進入長を調節する進入長調整手段によって、開口する抽出口の大きさを決定することを特徴とする請求項１記載のチューブ容器。
【請求項３】
抽出ヘッドの長さを調整することにより前記進入長調整手段を構成することを特徴とする請求項２記載のチューブ容器。
【請求項４】
キャップとチューブ本体の間にスペーサを介在させ、該スペーサの長さを調整することにより、前記進入長調整手段を構成することを特徴とする請求項２記載のチューブ容器。
【請求項５】
化粧料収納用容器であることを特徴とする請求項１〜４のいずれかに記載のチューブ容器。
【請求項６】
化粧料が口紅であることを特徴とする請求項５記載のチューブ容器。
【請求項７】
抽出ヘッドは、抽出口が形成される先端側が片斜面に形成されており、基端部には弁付き内栓が設けられていることを特徴とする請求項６記載のチューブ容器。
【請求項８】
シールされた抽出口を備えたチューブ容器のシール部に開口を形成する開封手段を天井面に備えたキャップであって、
開封手段は、尖端から基端にかけて、小径部から大径部に変化する複数の径部を備えており、シール部に進入する開封手段の深さに応じて、抽出口の開口の大きさを変更できることを特徴とするチューブ容器用キャップ。
【発明の詳細な説明】
【技術分野】
【０００１】
本発明は、封止膜を穿孔具などによって開口して使用するチューブ容器に関する。
【背景技術】
【０００２】
封止膜によって未使用状態が保たれているチューブ容器が存在する。このチューブ容器は、蓋体の外面や内面に設けられた針状の穿孔具を使用して、封止膜を開口し、抽出口を形成する方法が一般的である。
例えば、特許文献１（特開２０１２−７６７８６号公報）には、キャップの天井面に形成された開封刃を用いて、キャップの螺合にしたがって密閉膜を破り抽出口を形成するチューブ容器が開示されている。
特許文献２（特開２００２−２４０８３７号公報）には、抽出口の周囲に円筒形のストッパーを配置し、その外周をキャップで覆い、ストッパーを取り除いた後にキャップの天井面に設けたシール開封手段によってシールを破断して抽出口を形成するチューブ容器が開示されている。これらのチューブ容器では、シール開封手段で開口できる大きさは1つである。
【０００３】
特許文献３（特開２００３−１０４４０６号公報）には、小孔を有する栓体を取り外して広口開口を設け、広口でも使用できるチューブ容器が提案されている。
しかしながら、これらのチューブ容器では、シールを破断する穿孔部材は特定の１種類であって、チューブ容器用の開口手段として大小の抽出口を形成できる穿孔部材を備えたものは見あたらない。
【先行技術文献】
【特許文献】
【０００４】
【特許文献１】特開２０１２−７６７８６号公報
【特許文献２】特開２００２−２４０８３７号公報
【特許文献３】特開２００３−１０４４０６号公報
【発明の概要】
【発明が解決しようとする課題】
【０００５】
本発明は、大きさの異なる開口を形成できるチューブ容器を開発することを目的とする。
【課題を解決するための手段】
【０００６】
本発明は、キャップ天井面に設けられたシール開封手段である穿孔用の錐体などについて、小径部と大径部を設けることにより、進入長によって、開口の大きさを変更可能としたものである。
【０００７】
本発明の主な構成は次のとおりである。
１．チューブ容器本体と、
該チューブ本体の肩部に接続されていて、先端にシールされた抽出口を備えた抽出ヘッドと、
前記抽出ヘッドの外周に着脱可能に螺合されるキャップと、
前記キャップの天板下面に開封手段が設けられ、前記抽出口のシール部に対向する尖端を有し、尖端から大径の基端にかけて径が大きくなるように形成された開封手段を備えていることを特徴とするチューブ容器。
２．抽出ヘッドの抽出口のシール部に対する開封手段の進入長を調節する進入長調整手段によって、開口する抽出口の大きさを決定することを特徴とする１記載のチューブ容器。
３．抽出ヘッドの長さを調整することにより前記進入長調整手段を構成することを特徴とる２記載のチューブ容器。
４．キャップとチューブ本体の間にスペーサを介在させ、該スペーサの長さを調整することにより、前記進入長調整手段を構成することを特徴とする２記載のチューブ容器。
５．化粧料収納用容器であることを特徴とする１〜４のいずれかに記載のチューブ容器。
６．化粧料が口紅であることを特徴とする５記載のチューブ容器。
７．抽出ヘッドは、抽出口が形成される先端側が片斜面に形成されており、基端部には弁付き内栓が設けられていることを特徴とする６記載のチューブ容器。
８．シールされた抽出口を備えたチューブ容器のシール部に開口を形成する開封手段を天井面に備えたキャップであって、
開封手段は、尖端から基端にかけて、小径部から大径部に変化する複数の径部を備えており、シール部に進入する開封手段の深さに応じて、抽出口の開口の大きさを変更できることを特徴とするチューブ容器用キャップ。
【発明の効果】
【０００８】
本発明は、キャップ天井面に小径部と大径部を設けたシール開封手段によって、シールに形成する開口の大きさを変更が可能である。
キャップの構造の変化を最小限にして、開口の大きさを変更することができる。チューブ容器本体は、可撓性材質、成形方法、充填方法、押し出し使用などの制限があって、変化させる要素は少ないが、チューブ本体とは別体に形成されるキャップは、材質、デザインなど自由度が高く、他の商品と区別する特徴的なデザイン設計をすることができる。キャップを商品毎に変更することなく外観を共通化できることは商品群としてのブランドの統一性を維持する上で有効であり、制作費の節約をすることができる。また、需要者の嗜好に応じた大きさの開口を形成することができる製品を提供でき、商品のバラエティーを増やすことができる。
本発明は、嗜好性の高い口紅などの化粧品用チューブ容器に適している。
【図面の簡単な説明】
【０００９】
【図１】実施例のチューブ容器において、未開封の状態の頭部縦断面図である。
【図２】実施例のチューブ容器において、未開口状態からシール開封手段が進入し、抽出用の開口を形成した状態を示す頭部縦断面図である。                              （ａ）未開口状態を示す縦断面図。                                            （ｂ）小開口を形成した状態を示す縦断面図。                                  （ｃ）大開口を形成した状態を示す縦断面図。
【発明を実施するための形態】
【００１０】
本発明は、キャップ天井面に設けられたシール開封手段である穿孔用の錐体などについて、小径部と大径部を設けることにより、進入長によって、開口の大きさを変更可能としたものである。本発明のチューブ容器は、未使用状態では天井面に設けられた開封手段が、シール部に接触しない状態に保持できるように、キャップとチューブ本体との間にスペーサを配置している。本発明のチューブ容器の基本構成部材は、チューブ容器本体と、該チューブ本体の肩部に接続されていて、先端にシールされた抽出口を備えた抽出ヘッドと、前記抽出ヘッドの外周に着脱可能に螺合されるキャップと、前記キャップの天板下面に開封手段が設けられ、前記抽出口のシール部に対向する尖端を有し、尖端から大径の基端にかけて径が大きくなるように形成された開封手段を備えている。
開封手段をシール部に進入させて、形成する開口の大きさを調整する手段として、キャップがねじ込まれる長さの調整、抽出ヘッドの長さの調整を採用することができる。長い抽出ヘッドを使用すると、開封手段の尖端とシール部との間隔が狭くなり、スペーサを取り除いてキャップをねじ込むと、シールに深く進入し、開封手段の太い部分まで突き刺さり、大きな開口（抽出口）を形成することができる。短い抽出ヘッドを使用した場合は、開封手段の尖端とシール部との間隔が大きくなり、スペーサを取り除いてキャップをねじ込むと、シールに浅く突き刺さり、開封手段の先端側の太さに応じた小さな開口（抽出口）を形成することができる。
複数段にしたスペーサを設け、取り除くスペーサの数を調整することにより、キャップのねじ込む量を制限することができる。このねじ込み量に応じて開封手段がシールに突き刺さる長さが調整され、開口される抽出口の大きさが決定される。例えば、２つのリング状のスペーサを用いた場合、1つを取り除いて、他方を残すことにより、浅い突き刺し状態となって、小さな抽出口ができ、２つとも取り除いた場合はシールに深く突き刺さり大きな抽出口を形成することができる。残す方のリングをキャップの下端あるいはチューブ容器本体に固着できる係合構造を採用することができる。係合構造は小さな凹凸による嵌合構造など適宜設計する。
キャップ下端部の長さを調整することによっても、開封手段がシールに進入する長さを調整することができる。キャップの下端部の設計変更であって、簡便な設計変更である。ただし、キャップの若干の変更になるため、デザイン性の統一を重視する場合は、好ましくない。
本発明のチューブ容器は、デザインを重視した化粧料用のチューブ容器として適しており、化粧品の場合は、種類の違う化粧品に共通したデザインを採用して、ブランドの統一性を表現する場合に重宝する。チューブ容器本体を用いた化粧料のブランド統一用のキャップとして有効である。化粧料の種類によって粘性などの性質が異なり、適切な使用量も異なるので、それらに適した大きさの開口を設定することができる。あるいは、利用者の好みに応じた開口を設定することができる。
開封手段としては、錐状の尖端を備え、先端側から基端部にかけて順に太くなるように形成した断面円形、断面角形などの針状体を基本形とする。尖端に刃体を形成することもできる。あるいは、螺旋状に形成するなど工夫することができる。
【００１１】
本発明のチューブ容器の例を、図面を参照して説明する。図示の例は、抽出ヘッドの先端を片斜めとし、斜面の途中に水平状に抽出口を形成するシール部を形成した口紅用のチューブ容器の例である。尚、図面には、本発明の特徴部分であるチューブ容器の首部を拡大して示し、チューブ容器全体は示していない。本発明は、この形状や口紅用に特定されるものではなく、先端が平面上に形成された抽出口にも適用できることは言うまでもない。
図１は、実施例のチューブ容器において、未開封の状態の頭部縦断面図を示している。図２は、実施例のチューブ容器において、未開口状態からシール開封手段が進入し、抽出用の開口を形成した状態を示す頭部縦断面図を示している。（ａ）未開口状態を示す縦断面図。（ｂ）小開口を形成した状態を示す縦断面図。（ｃ）大開口を形成した状態を示す縦断面図。
【００１２】
図１に示すチューブ容器１は、チューブ容器本体２、キャップ３、前記チューブ本体２とキャップ３の間にスペーサ４が設けられている。筒状のチューブ容器本体２の肩部に抽出ヘッド５が熱融着などの手段によって接合されている。抽出ヘッド５の下方には弁体６１を設けた内栓６が内蔵されている。弁体６１は、押し出された内容物が戻らないように一方向弁に構成されている。
チューブ容器本体２は、一般に用いられているものである。例えば、樹脂製あるいはアルミ・ラミネート素材の可撓性筒状体からなり、図示していない後端は、内容物が充填された後に板状に熱融着されて閉塞される。
【００１３】
キャップ３は、内面が円筒である胴部３２と上面の天板部３１とからなる合成樹脂製の有蓋円筒体を基本構造とし、その胴部３２の内周面に形成された雌ネジ３４を抽出ヘッド５の外周に設けられた雄ネジ５４に螺着させつつ、抽出ヘッド５を覆って装着される。天板部３１の下面中心に、キャップ３装着状態にて抽出ヘッド５の先端部に形成された抽出口のシール５１に臨んで延出されるシールの開封手段８が一体に形成されている。
このシールの開封手段８は、先端は錐の先端状の尖端８１となり、基部に向かって太くなるように形成される。図１の例では、尖端８１に続き小径部８２、さらに大径部８３が設けられている。開封手段８の尖端８１がシールに突き刺さり、小径部８２あるいは大径部８３のいずれまで進入した位置によって、シールに形成される開口の大きさが決定される。小径部８２によって、小さな開口の抽出口が形成され、大径部８３によって大きな開口の抽出口が形成される。
【００１４】
スペーサ４は、大径部４１とその上辺が小径部４２に形成されたリング状であって、チューブ容器本体２の肩部とキャップ３の下端との間に配置される。小径部４２がキャップの下端３３の内側に挿入される。小径部４２と下端３３の間には係合構造を設けて動きを規制しても良い。スペーサ４が存在することにより、開封手段８の尖端８１がシール５１に接触しないように規制されている。スペーサの存在は、未使用であることを示している。使用を開始するに際し、スペーサ４を取り外して、キャップ３をねじ込むことにより、尖端８１がシールに突き刺さり、開封手段８の進入位置に応じた開口がシール５１に形成されることとなる。
図示の例では、スペーサ４は1つのリングで示されているが、このリングを縦方向に数個のリングに分割して形成し、一部を残すことによって、開封手段８の進入位置を調整する手段の１つとすることができる。残すリングをキャップ下端３３あるいはチューブ容器本体側に固定できる係合構造を施すことにより、残すリングが使用中もキャップまたは容器と一体化する。
【００１５】
抽出ヘッド５は、樹脂製であって、尖端が閉塞されシール５１が形成されており、尖端から下方に円筒状の首部５２となり、首部５２の外周面には雄ネジ５４が形成され、キャップ３に形成された雌ネジ３４と螺合する。首部５２の下端は基部５３となり、基部５３はキャップ容器本体２と熱融着などの手段により接合される。
図示の例では、基部５３の内面には弁体６１を設けた内栓６が嵌挿されている。弁体６１は、チューブ容器本体側から押し出された内容物が、戻らないように一方向弁に形成されている。空気が引き込まれて内容物が劣化することを防止する、あるいは、外部と接触した汚染の伝播を防止する機能を果たしている。この内栓６は、内容物の種類によっては、設ける必要は無い。
なお、内栓６と基部５３は密着するように嵌め合わされおり、例えば、図示の凹凸に見られるように微小な凹凸を嵌合することによって、密着されている。このような嵌合構造は、前記の残すスペーサのリングとキャップあるいはチューブ容器本体との接合に利用することができる。
この抽出ヘッド５の長さを調整することにより、開封手段８の尖端８１とシール５１との間隔を調整することができ、間隔を短くすると開封手段８がシール５１に深く進入して大きな開口を形成し、長くすると開封手段８のシール５１に対して浅く進入して小さな開口を形成することとなる。
図示した抽出ヘッド５の先端は、片方に傾斜面を形成し、傾斜面の途中にシール部を平面に形成した口紅用容器の例である。このような口紅用の容器は、抽出ヘッドが長くなり、これにつれてキャップも長くなる傾向がある。長いキャップの天井面に径１ｍｍ程度の細長い針状体を形成することは、穿孔抵抗があって困難性がある。また、細長いキャップの成形金型を複数準備することも技術、費用の面で問題がある。本実施例は、キャップの設計を変更する必要が無く、更に、基部側を太く、先端側を細くした開封手段を設けたので、穿孔に伴う抵抗性が向上し、開口の形成が安定する。
なお、抽出ヘッドの先端は傾斜していない平坦面でも差しつかえないことは言うまでもない。
【００１６】
図２に開口操作の状態を示している。図２（ａ）は、スペーサ４が介在している未使用状態を示している。この状態では開封手段８の尖端８１がシールに接触しておらず、開口は形成されていない。この図示の例では、抽出ヘッド５の長さを変えて、未使用状態での尖端８１とシールとの間隔を調整している。即ち、この間隔をΔｈで示しており、短い抽出ヘッド５Ａを実線で示し、長い抽出ヘッド５Ｂの先端を破線で示している。それぞれのシールの位置を５１ａ、５１ｂとしている。したがって、８１と５１ａあるいは５１ｂとの間隔Δｈが大きければ、開封手段８がシールに浅く進入し、Δｈが小さければ、開封手段８がシールに深く進入することとなる。
【００１７】
図２（ｂ）は、短い抽出ヘッド５Ａの場合の、開口状態を示している。図２ａの未使用状態においてスペーサ４とキャップ３を外し、キャップ３のみをねじ込んで装着すると、尖端８１がシール５１ａに突き刺さり、ねじ込みの終端の８１Ｌの位置で停止する。図示の例では、小径部で停止するように設定されているので、小さな開口の抽出口が形成され、この状態で使用されることとなる。
図２（ｃ）は、長い抽出ヘッド５Ｂの場合の、開口状態を示している。図２ａの未使用状態においてスペーサ４とキャップ３を外し、キャップ３のみをねじ込んで装着すると、尖端８１がシール５１ｂに突き刺さり、ねじ込みの終端の８１Ｌの位置で停止する。図示の例では、大径部で停止するように設定されているので、大径部の大きさに応じた大きな開口の抽出口が形成され、この状態で使用されることとなる。
【００１８】
以上、調整手段として、抽出ヘッドの長さを調整する方法、複数のリングを設けたスペーサについて紹介したが、これ以外にキャップ下端側の延出部の長さを調整することもできる。キャップの設計変更は望ましくないが、下端の延出部という比較的簡便な構造部の変更にとどまり、全体に対する影響を限定的にすることができる。更に、これらの手段の組み合わせによって、適宜の調整が可能である。
【符号の説明】
【００１９】
１  容器 
２  チューブ容器本体
３  キャップ
３１  天板部
３２  胴部
３３  下端
３４  雌ネジ
４  スペーサ
４１  大径部
４２  小径部
５  抽出ヘッド
５１  シール（部）
５２  首部
５３  基部
５４  雄ネジ
６  内栓
６１  弁
８  開封手段
８１  尖端
８２  小径部
８３  大径部
【図１】
2014189325.tif 000003
【図２】
2014189325.tif 000004